(57)【要約】【課題】  基板ホルダー及び真空チャンバー内壁へ向かう反射電子を低減する。【解決手段】  真空チャンバー１内の上部に基板ホルダー４が取り付けられ、真空チャンバー１内の下部に、蒸発材料８が充填されるハースライナー９′を収容した坩堝７′と電子銃１０とを有する電子ビーム蒸発源が設けられており、坩堝７′の内面と該内面に対向するハースライナー９′の外面との間に、電子銃１０からの電子ビームＥＢが入射し、入射した電子が坩堝７′の内面とハースライナー９′の外面との間で散乱される空間が形成されている。【選択図】図２
2010255059.tif 000002
【特許請求の範囲】
【請求項１】
真空チャンバー、該真空チャンバー内に取り付けられた基板ホルダー、及び、該真空チャンバー内に設けられ、蒸発材料が充填されるハースライナーを収容した坩堝と電子銃とを有する電子ビーム蒸発源を備えた真空蒸着装置において、前記坩堝の内面と該内面に対向する前記ハースライナーの外面との間に、前記電子銃からの電子ビームが入射し、該入射した電子が前記坩堝の内面と前記ハースライナーの外面との間で散乱される空間が形成されていることを特徴とする真空蒸着装置。
【請求項２】
少なくとも前記坩堝の一方の内側面と該内側面に対向する前記ハースライナーの一方の外側面との間に、前記電子銃からの電子ビームが入射し、該入射した電子が前記坩堝内側面と前記ハースライナーの外側面との間で散乱される空間が形成されていることを特徴とする請求項１記載の真空蒸着装置。
【請求項３】
前記坩堝の内底面と該内底面に対向する前記ハースライナーの外底面との間に、前記電子が前記坩堝内底面と前記ハースライナーの外底面との間で散乱される空間が形成されていることを特徴とする請求項２記載の真空蒸着装置。
【請求項４】
前記坩堝の他方の内側面に前記ハースライナーの他方の外側面が取り付けられている請求項２記載の真空蒸着装置。
【発明の詳細な説明】
【技術分野】
【０００１】
本発明は、電子ビーム蒸発源を用いた真空蒸着装置に関する。
【背景技術】
【０００２】
真空蒸着装置は、真空チャンバー内において、蒸発させた物質を基板に付着させるもので、光学レンズの反射防止膜等の膜形成に使われている。
【０００３】
最近、この様な真空蒸着装置には、電子ビーム照射により蒸発材料を加熱蒸発させる、いわゆる、電子ビーム蒸発源が多く用いられている。
【０００４】
さて、この様な電子ビーム蒸発源において、例えば水冷により冷却された銅製の坩堝（冷却坩堝）に直接蒸発材料を充填し、該蒸発材料に電子ビームを照射すると、前記坩堝の水冷により蒸発材料の熱が奪われてしまい、蒸発材料の加熱効率が著しく低下してしまう。更に、該蒸発材料の表面部分の温度と前記坩堝に接触する部分との温度差が著しく大きくなる為に、該蒸発材料中に突沸が生じてしまう。
【０００５】
そこで、前記坩堝の内側に断熱性の高い材料で製作したハースライナーと呼ばれる内坩堝をセットし、このハースライナーに蒸発材料を充填し、該蒸発材料を電子ビーム照射で加熱する様に成すことによって、該蒸発材料から前記坩堝への熱伝導を激減させ、それにより前記問題を解決している。
【０００６】
尚、この様なハースライナーを設けることにより、蒸着後の汚れを掃除する場合、前記坩堝内部は汚れていないので、小部品であるハースライナーだけを該坩堝から取り外して掃除すれば済み、掃除自体が極めて楽になるメリットもある。
【０００７】
図１はこの様な電子ビーム蒸発源を備えた真空蒸着装置の一概略例を示したものである。
【０００８】
図中１は真空チャンバーで、排気通路２を通じて真空ポンプ（図示せず）により排気される様に成っている。
該真空チャンバーの上壁中央には、基板３（３ａ、３ｂ、３ｃ、…）がセットされた基板ホルダー４がホルダー支持軸５を介して取り付けられている。
【０００９】
前記真空チャンバー１の底壁に設けられた基台６中には、坩堝７が設けられており、該坩堝内に蒸発材料８が充填されたハースライナー９が設置されている。
【００１０】
又、前記基台６中には、前記坩堝７に隣接して電子銃１０が設けられており、該電子銃からの電子ビームＥＢが偏向器（図示せず）により、例えば２７０゜偏向され、前記ハースライナー９に充填された前記蒸発材料８を衝撃する様に成されている。尚、前記電子銃１０と前記坩堝７の間には、走査用コイル（図示せず）が設けられており、該電子銃から発生し、前記偏向器（図示せず）により偏向された電子ビームＥＢが前記蒸発材料８上を走査する様に成されている。
【００１１】
この様な真空蒸着装置において、先ず、オペレータの指令に基づき前記真空チャンバー１内を真空ポンプ（図示せず）により真空排気する。
【００１２】
該真空チャンバー内が所定の真空度に達したら、制御装置（図示せず）により前記電子銃１０を作動し、該電子銃からの電子ビームＥＢは偏向器（図示せず）により例えば２７０°偏向され、前記ハースライナー９内の前記蒸発材料８を照射する。そして、走査コイル（図示せず）の働きにより、前記電子ビームＥＢは該蒸発材料上を走査する。
【００１３】
この前記電子ビームＥＢの衝撃により、前記蒸発材料８は加熱され、やがて蒸発を始め、蒸発物質は前記基板３に到達し、該基板表面に膜状に付着する。
【先行技術文献】
【特許文献】
【００１４】
【特許文献１】特開２００４−  ３１５９５３号公報
【発明の概要】
【発明が解決しようとする課題】
【００１５】
さて、この様な基板への膜形成において、前記電子銃１０からの電子ビームが前記蒸発材料８へ照射された時、該電子ビームの一部が該蒸発材料の表面で散乱し、反射電子ＢＳＥが発生する。
【００１６】
この様な反射電子ＢＳＥは前記基板３や前記真空チャンバー１内壁の方向に向かい、この様な反射電子ＢＳＥの一部は該基板や前記真空チャンバー１内壁に達して損傷を与える。
【００１７】
特に、前記基板３が樹脂製の場合には、反射電子ＢＳＥが当たることにより蒸発物質の密着性の低下や膜質の低下をもたらす。
【００１８】
又、前記ハースライナー９内に充填された前記蒸発材料８が有機物等の極めて分解し易い材料の場合には、前記電子銃１０からの電子ビーム照射により、物質構造が破壊されてしまう。
【００１９】
本発明は、この様な問題を解決する新規な真空蒸着装置を提供することを目的とする。
【課題を解決するための手段】
【００２０】
本発明の真空蒸着装置は、真空チャンバー、該真空チャンバー内に取り付けられた基板ホルダー、及び、該真空チャンバー内に設けられ、蒸発材料が充填されるハースライナーを収容した坩堝と電子銃とを有する電子ビーム蒸発源を備えた真空蒸着装置において、前記坩堝の内面と該内面に対向する前記ハースライナーの外面との間に、前記電子銃からの電子ビームが入射し、該入射した電子が前記坩堝の内面と前記ハースライナーの外面との間で散乱される空間が形成されていることを特徴とする。
【発明の効果】
【００２１】
本発明は、ハースライナーに充填された蒸発材料に電子ビームを直接照射せずに、坩堝とハースラーナーとの間に電子銃からの電子ビームが入射する空間を形成し、この空間内において坩堝内面とハースライナー外面との間で電子の散乱を繰り返す様にして、該ハースライナーを加熱し、該ハースライナーの加熱によって充填されている蒸発材料を加熱する様に成したので、真空チャンバーや基板方向に向かって来る反射電子が著しく少なくなる。従って、該真空チャンバー内壁や基板の損傷が避けられ、前記基板が樹脂製であっても蒸発物質の密着性の低下や膜質の低下が避けられる。
【００２２】
又、本発明では、蒸発材料に直接電子ビームが照射されないので、ハースライナーに充填された蒸発材料が有機物の様な分解し易い物質であっても、物質構造が破壊されることがない。
【００２３】
又、本発明では、従来の坩堝と同様に前記真空チャンバー内に設置することで、高融点材料の蒸着を大気開放せずに連続成膜することが出来る。
【図面の簡単な説明】
【００２４】
【図１】真空蒸着装置の一概略例を示したものである。
【図２】本発明の真空蒸着装置の一概略例を示したものである。
【発明を実施するための形態】
【００２５】
以下、図面を参照して本発明の実施の形態を詳細に説明する。
【００２６】
図２は本発明の真空蒸着装置の一概略例を示したものである。尚、図１で使用した記号と同一記号の付されたものは同一構成要素を示す。
【００２７】
図２に示す真空蒸着装置が図1の真空蒸着装置に対して異なる所は、電子銃、坩堝及びハースライナーを主要部とする電子ビーム蒸発源の構造である。
【００２８】
図２に示す坩堝７′とハースライナー９′は共にお椀状の形状を成しているが、前記坩堝７′の口径がハースライナー９′の口径より大きく（例えば、１．５倍程度〜２倍程度）且つ該坩堝の深さも該ハースライナーの深さより大きく（例えば、１．５倍程度〜２倍程度）形成されており、該坩堝の一方（電子銃１０側）の内側面と該ハースライナーの一方（電子銃１０側）の外側面との間、及び、該坩堝の内底面と該ハースライナーの外底面との間にそれぞれ空間が出来る様に、該坩堝の他方の内側面に該ハースライナーの他方の該側面が取り付けられている。
【００２９】
更に、前記坩堝７′の一方（電子銃１０側）の内側面と前記ハースライナー９′の一方（電子銃１０側）の外側面との間に形成される空間の底面に相当する該坩堝の内底面部ＬＡと、該内底面部に対向する前記ハースライナー９′の外底面部ＬＢが、共に左傾きの傾斜面を成している。
【００３０】
この様な真空蒸着装置において、先ず、オペレータの指令に基づき前記チャンバー１内を真空ポンプ（図示せず）により真空に排気する。
【００３１】
該真空チャンバー内が所定の真空度に達したら、制御装置（図示せず）の指令により前記電子銃１０が作動し、該電子銃からの電子ビームＥＢは偏向器（図示せず）により例えば２７０°偏向され、前記坩堝７′の一方（電子銃１０側）の内側面と前記ハースライナー９′の一方（電子銃１０側）の外側面の間に形成される空間部に入射し、該坩堝の内底面部ＬＡを照射する。
【００３２】
そして、走査コイル（図示せず）の働きにより、前記電子ビームＥＢは該坩堝の内底面部ＬＡ上を走査する。
【００３３】
この様に前記坩堝の内底面部ＬＡに電子ビームＥＢが照射されると、該内底面部ＬＡから反射電子ＢＳＥが放出され、該反射電子は前記内底面部ＬＡに対向する前記ハースライナーの外底面部ＬＢに向かう。そして、ここで反射して前記坩堝７′の内底面に向かい、更に、ここで散乱して前記ハースライナー９′の外底面に向かう。この様にして、前記坩堝７′の内底面部ＬＡの反射電子放出が発端となり、前記坩堝７′の内面と前記ハースライナー９′の外面との間に形成されている空間における該坩堝内面と該ハースライナー外面の間で反射電子ＢＳＥの散乱を繰り返すと、前記ハースライナー９′は該反射電子の一部を吸収することにより加熱されることになる。
【００３４】
この様にして該ハースライナーが加熱されると、該ハースライナー内に充填された前記蒸発材料８が加熱され、やがて蒸発を始め、蒸発物質は前記基板３に到達し、該基板表面に膜状に付着する。
【００３５】
尚、前記坩堝７′の内面と前記ハースライナー９′の外面との間に形成されている空間の開口部に当たる部分は、さほど大きくないので、該空間内で散乱を繰り返している電子が前記基板ホルダー４やチャンバー１内壁の方向に出ていくものは少ない。この際、電子ビームの入射角を出来るだけ小さくし、且つ、前記空間の開口部サイズに対する該空間の深さの比（アスペクト比）を十分大きくすることによって、該開口部から外部へ出ていく反射電子ＢＳＥの量を著しく少なくすることが出来る。
【００３６】
尚、前記坩堝７′やハースライナー９′は有底円筒状のものでも良い。
【００３７】
又、前記坩堝７′とハースライナー９′の間に形成される空間内で電子の散乱を生じさせる為の構造は前記図２に示されるものに限定されない。例えば、前記坩堝７′内面とハースライナー９′外面に形成されている傾斜面は１つであったが、二つ以上形成されていても良い。
【００３８】
又、前記電子銃１０からの電子が入射し、電子の散乱が繰り返される空間が、前記坩堝７′の内底面とハースライナー９′の外底面との間、及び、坩堝の一方（電子銃１０側）の内側面とハースライナー９′の一方の外側面との間にそれぞれ形成される様にし、前記坩堝７′の他方の内側面にハースライナー９′の他方の外側面を取り付ける様にしたが、前記電子銃１０からの電子が入射し、電子の反射が繰り返される空間が、前記坩堝７′の内底面とハースライナー９′の外底面との間、及び、前記坩堝７′の他方の内側面とハースライナー９′の他方の外側面との間にそれぞれ形成される様にし、前記坩堝７′の一方（電子銃１０側）の内側面にハースライナー９′の一方の外側面を取り付ける様にしても良い。尚、前記坩堝７′の内側面とハースライナー９′の外側面との間に形成される空間における電子の散乱の繰り返しのみで前記蒸発材料８を蒸発させられるなら、前記坩堝７′の内底面とハースライナー９′の外底面との間に空間を形成する必要はない。
【符号の説明】
【００３９】
１…真空チャンバー
２…真空排気通路
３…基板
４…基板ホルダー
５…ホルダー支持軸
６…基台
７、７′…坩堝
８…蒸発材料
９、９′…ハースライナー
１０…電子銃
ＥＢ…電子ビーム
ＢＳＥ…反射電子
ＬＡ…坩堝内傾斜面
ＬＢ…ハースライナー内傾斜面部
【図１】
2010255059.tif 000003
【図２】
2010255059.tif 000004